(57)【要約】【課題】  釣糸を切ることなく、釣り針と揺動体とを別々に交換できる接続具を提供することにより、釣り糸を切らずに揺動体を着脱可能とする。【解決手段】  リング状の被連結具（７０）の着脱を容易化するための連結具（６０）である。線材を屈曲させて略Ｖ字形をなす連結具本体（６１）と、  そのＶ字部分を貫通させてスライドするリング状のスライドリング（６６）とを備える。前記の連結具本体（６１）におけるＶ字形の一端において前記被連結具（７０）の装着位置となる装着部（６３）と、  その装着部（６３）から折り返して前記被連結具（７０）の抜け止めとなる抜け止め部（６４）とを形成し、  その抜け止め部（６４）は、連結具本体（６１）が形成するＶ字形の外側に向かってふくらむ突起部（６４ａ）を備える。【選択図】  図４
2013247892.tif 000002
【特許請求の範囲】
【請求項１】
リング状の被連結具の着脱を容易化するための連結具であって、
線材を屈曲させて略Ｖ字形をなす連結具本体と、
そのＶ字部分を貫通させてスライドするリング状のスライドリングと、を備え、
前記の連結具本体におけるＶ字形の一端において前記被連結具の装着位置となる装着部と、
その装着部から折り返して前記被連結具の抜け止めとなる抜け止め部とを形成し、
その抜け止め部には、前記スライドリングの内径寸法と略同一の突き出し寸法をなす突起部を備えた連結具。
【請求項２】
前記の連結具本体におけるＶ字形の交差部分は、Ｖ字形の角度が最大となった際にも前記のスライドリングの内径よりも大きく形成したリング抜け止め部を備えることとした請求項１に記載の連結具。
【請求項３】
前記のスライドリングは、その内径断面を楕円形とし、
前記の抜け止め部には、連結具本体が形成するＶ字形の外側に向かってふくらむ突起部を備え、
その突起部は、前記のスライドリングにおける内径断面を形成する楕円形の長手方向と突起部の突出方向とが一致した場合にスライドリングが突起部を通過可能な突起寸法とした請求項１または請求項２のいずれかに記載の連結具。
【請求項４】
前記装着部は、連結具本体がなす平面と同一平面上に幅方向寸法を有するように環状を形成し、
前記突起部は、前記装着部が形成する平面とは同一平面上では無い方向であって、前記スライドリングの内径断面における楕円形の短径よりも長く、且つ楕円形の長径よりも短くなるように突出させて形成した請求項３に記載の連結具。
【請求項５】
前記の被連結具は、釣り針とその釣り針を被連結具へ繋ぐ釣り針用紐とし、
その釣り針用紐を前記の装着部に着脱して使用することとし、
スライドリングは、釣り竿の道糸に連結した連結具用リングを固定することとした請求項１から請求項４のいずれかに記載の連結具。
【請求項６】
スライドリングの外側には、弾性リングに束ねられた紐状の疑似餌を装着することとした請求項５に記載の連結具。
【発明の詳細な説明】
【技術分野】
【０００１】
本発明は、魚釣りなどに用いると便利な連結具に関する。
【背景技術】
【０００２】
魚釣りにおいては、生き餌を使う釣りの他、疑似餌を用いることも多い。
鯛釣りに用いられる疑似餌は、金属製の錘、ゴム製のいわゆるスカートやネクタイ、および金属の釣り針を備えたものが一般的に用いられている。
【０００３】
この鯛釣り用の擬似餌は、魚が、海中において揺らぐスカートおよびネクタイにより誘き寄せられ、釣り針に引っ掛かったところで、釣り上げられるような仕掛けになっている。
例えば、特許文献１においては、各部材が絡みにくい仕掛けが示されている。また、特許文献２においては、水中において障害物に引っ掛かりにくい仕掛けが示されている。
【先行技術文献】
【特許文献】
【０００４】
【特許文献１】特開２００８−２１２１４６号公報
【特許文献２】特開２００６−３２５４６８号公報
【発明の概要】
【発明が解決しようとする課題】
【０００５】
前記した擬似餌等において、スカートやネクタイは、魚を誘き寄せる役割を果たすが、釣り針に魚が引っ掛かる前に、食いちぎられてしまうことが多く、消耗が著しい。また、釣り針も紛失や変形などが生じるので、交換作業が必要となっていた。  また、交換作業において、釣り糸を切断してからスカートやネクタイを取り替える必要があると、交換する度に釣り糸（道糸）が短くなるという不都合も生じていた。
【０００６】
釣り具における疑似餌を例として説明したが、交換や補充が必要な被連結具を着脱容易とする連結具は、釣り具のみならず、一般の道具においても様々な場面で必要とされている。たとえば、図６に図示したようないわゆる「スナップサルカン」（または単に「サルカン」）が釣り具においては多く用いられている。また、その「サルカン」とほぼ同一構造の金具としての小物ホルダなどが提供されている。
さて、このサルカンは、捻るという力を加えることによって被連結部材を着脱する構造となっている。したがって、予期せぬ外力で捻られると、被連結部材が抜け落ちてしまうことがあり得る。したがって、単なる捻りでは着脱できないものの、着脱が容易で取り付け時には強固に固定できるという機能を果たす簡単な構造の連結具は、潜在的に求められているが、従来品としては見あたらない。
【０００７】
本発明が解決しようとする課題は、被連結具の着脱が容易で固定が強固な連結具を提供することにある。
【課題を解決するための手段】
【０００８】
（第一の発明）
請求項１に係る発明は、リング状の被連結具（７０）の着脱を容易化するための連結具（６０）に係る。
すなわち、線材を屈曲させて略Ｖ字形をなす連結具本体（６１）と、  そのＶ字部分を貫通させてスライドするリング状のスライドリング（６６）とを備える。
また、前記の連結具本体（６１）におけるＶ字形の一端において前記被連結具（７０）の装着位置となる装着部（６３）と、  その装着部（６３）から折り返して前記被連結具（７０）の抜け止めとなる抜け止め部（６４）とを形成し、  その抜け止め部（６４）には、前記のスライドリング（６６）の内径寸法と略同一の突き出し寸法をなす突起部（６４ａ）を備える。
【０００９】
（用語説明）
「線材」とは、容易には変形しにくい線材、たとえば鋼製の線材や、強度の高い熱可塑性樹脂製の線材を採用する。
「突起部（６４ａ）」は、抜け止め部（６４）の端部に設ける場合（図４参照）と、抜け止め部（６４）の中間部に設ける場合（図５（ａ）参照）とがある。
【００１０】
（作用）
スライドリング（６６）をＶ字交差部（６５）付近へスライドさせる。するとスライドリング（６６）は、抜け止め部（６４）およびその突起部（６４ａ）から離れ、連結具本体（６１）のＶ字形は角度が広がる。  リング状の被連結具（７０）を抜け止め部（６４）の存在する方向から挿入し、装着部（６３）へ収める。
次に、Ｖ字交差部（６５）付近にあったスライドリング（６６）を、抜け止め部（６４）およびその突起部（６４ａ）を通過させる。被連結具（７０）は、装着部（６３）から外れそうな動きをしても、抜け止め部（６４）の突起部（６４ａ）の存在によって動きを規制されたスライドリング（６６）が邪魔するので、装着部（６３）へ収まっている。
被連結具（７０）を外す場合には、再びスライドリング（６６）をＶ字交差部（６５）付近へスライドさせればよい。
【００１１】
（第一の発明のバリエーション１）
第一の発明は、前記の連結具本体（６１）におけるＶ字交差部（６５）は、Ｖ字形の角度が最大となった際にも前記のスライドリング（６６）の内径よりも大きく形成したリング抜け止め部（６５ａ）を備えることとしてもよい。
【００１２】
（用語説明）
「リング抜け止め部（６５ａ）」は、連結具本体（６１）を形成する線材を折り曲げることで一体に形成する場合の他、キャップ状の別体として形成してもよい。
【００１３】
（作用）
スライドリング（６６）をＶ字交差部（６５）付近へスライドさせたときに、リング抜け止め部（６５ａ）を備えることで、スライドリング（６６）が、リング抜け止め部（６５ａ）によって連結具本体（６１）に押しとどめられ、Ｖ字交差部（６５）より抜け出すことを防止することができる。
【００１４】
（第一の発明のバリエーション２）
第一の発明は、以下のように形成してもよい。
すなわち、前記のスライドリング（６６）は、その内径断面を楕円形とし、  前記の抜け止め部（６４）には、連結具本体（６１）が形成するＶ字形の外側に向かってふくらむ突起部（６４ａ）を備える。
そして、その突起部（６４ａ）は、前記のスライドリング（６６）における内径断面を形成する楕円形の長手方向と突起部（６４ａ）の突出方向とが一致した場合にスライドリング（６６）が突起部（６４ａ）を通過可能な突起寸法に形成する。
たとえば、スライドリング（６６）における内径断面を形成する楕円形の長径寸法が、連結具本体（６１）を形成する線材の直径の２倍に突起部（６４ａ）の突起寸法を加えたサイズであれば、スライドリング（６６）が突起部（６４ａ）を通過可能となる。また、楕円形の短径寸法が長径寸法に近いサイズである場合には、連結具本体（６１）を形成する線材の直径の２倍に突起部（６４ａ）の突起寸法よりもやや短いサイズでも、スライドリング（６６）が突起部（６４ａ）を通過可能となる。
【００１５】
（作用）
突起部（６４ａ）が、Ｖ字形の外側に向かってふくらむ突起であるため、スライドリング（６６）を、抜け止め部（６４）およびその突起部（６４ａ）を通過させるときには、使用者は、スライドリング（６６）と抜け止め部（６４）とを相対的に回転させる。これにより、装着部（６３）と連動して、突起部（６４ａ）がスライドリング（６６）における内径断面を形成する楕円形の長手方向の径寸法と同じ平面方向に向き、スライドリング（６６）が抜け止め部（６４）および突起部（６４ａ）をすり抜けスライドさせることができる。使用者が装着部（６３）を元の状態に戻す（すなわち、相対的に回転させたスライドリング（６６）と抜け止め部（６４）とを戻す）ことで、突起部（６４ａ）が再びＶ字形の外側に向かうため、スライドリング（６６）が、装着部（６３）と突起部（６４ａ）と間にとどまることができる。
【００１６】
（第一の発明のバリエーション３）
第一の発明における前記バリエーション２は、以下のように形成してもよい。
すなわち、前記装着部（６３）は、連結具本体（６１）がなす平面と同一平面上に幅方向寸法を有するような環状を形成する。
前記突起部（６４ａ）は、前記装着部（６３）が形成する平面とは同一平面上では無い方向（たとえば直角方向）であって、前記スライドリング（６６）の内径断面における楕円形の短径よりも長く、且つ楕円形の長径よりも短くなるように突出させて形成する。
【００１７】
（作用）
被連結具（釣り針ユニット７０）を装着部（６３）へ装着するには、スライドリング（６６）をＶ字交差部（６５）側に位置させた状態とする（図４（ａ）参照）。この状態では、スライドリング（６６）における内径断面は、その長手方向がＶ字形をなす連結具本体（６１）を規制している。  一方、突起部（６４ａ）は、装着部（６３）が形成する平面とは同一平面上では無い方向へ突出しており、且つその突出寸法がスライドリング（６６）の内径断面における楕円形の短い径よりも長い。したがって、スライドリング（６６）を装着部（６３）の方向へ単純にスライドさせても、スライドリング（６６）は突起部（６４ａ）を超えられない（図４（ｂ）参照）。
突起部（６４ａ）を超えてスライドリング（６６）を装着部（６３）側へ位置させるためには、環状をなしていることでつまみやすい装着部（６３）を捻ることで突起部（６４ａ）の突起方向を変更させ、スライドリング（６６）の内径断面における楕円形の長径方向へ突起部（６４ａ）を回転させる（図４（ｂおよびｃ）参照）。すると、スライドリング（６６）が突起部（６４ａ）を超えて装着部（６３）側へ位置させることができる（図４（ｄ）参照）。
【００１８】
突起部（６４ａ）と装着部（６３）の間に位置したスライドリング（６６）は、装着部（６３）が捻られる外力か、スライドリング（６６）における内径断面の長径方向が突起部（６４ａ）の突起方向と一致させるような外力か、いずれかを加えない限り、突起部（６４ａ）を乗り越えてＶ字交差部（６５）側へ移動することはできない。そのような外力は、人為的に加える以外にはまずありえない。
したがって、装着部（６３）に収まった被連結具（７０）が装着部（６３）から外れることは、ほとんど起こりえない。よって、被連結具（７０）の装着作業や取り外す作業が難しくなることなく、スナップサルカンよりも外れにくい連結具を提供することができたこととなる。
【００１９】
（第一の発明のバリエーション４）
第一の発明は、以下のように形成してもよい。
すなわち、前記の被連結具（７０）は、釣り針（７１）とその釣り針（７１）を被連結具（７０）へ繋ぐ釣り針用紐（７２）とし、  その釣り針用紐（７２）を前記の装着部（６３）に着脱して使用することとし、  Ｖ字交差部（６５）には、釣り竿の道糸（８０）に連結するための連結具用リング（５０）を固定することとした。
【００２０】
（作用）
連結具用リング（５０）をＶ字交差部（６５）に固定することにより、道糸（８０）と連結具（６０）とを間接的につなぐことができる。そのため、連結具（６０）を、連結具用リング（５０）から取り外すだけで、道糸（８０）を切ることなく、連結具（６０）を交換することができる。
【００２１】
（第一の発明のバリエーション５）
第一の発明における上記バリエーション４は、  前記連結具用リング（５０）は楕円形とし、その長手方向内径がスライドリング（６６）の外形よりも大きくし、スライドリング（６６）の外側に、弾性リング（４１，４２）に束ねられた紐状の揺動体（ネクタイ３１，スカート３２）を装着することとしてもよい。
【００２２】
（作用）
連結具用リング（５０）が楕円形で、かつ、その長手方向内径がスライドリング（６６）の外形より大きいため、連結具用リング（５０）の楕円形の長手方向が、連結具本体（６１）の長手方向と同じ方向を向いたときに、スライドリング（６６）が抜けることができる。そのため、スライドリング（６６）が、Ｖ字交差部より抜けにくい。
ここで、揺動体（ネクタイ３１，スカート３２）を交換したい場合は、弾性リング（４１，４２）をスライドリング（６６）から外し、弾性リング（４１，４２）から揺動体（ネクタイ３１，スカート３２）を取り除き、新しい揺動体（ネクタイ３１，スカート３２）に交換したものを、再び、スライドリング（６６）の外側に装着する。スライドリング（６６）の外側に、弾性リング（４１，４２）を装着することができるようにすることで、容易に揺動体（ネクタイ３１，スカート３２）のみを着脱することができる。
【発明の効果】
【００２３】
本発明によれば、被連結具の着脱が容易な連結具を提供することができた。
【図面の簡単な説明】
【００２４】
【図１】本発明の一実施形態に係る擬似餌を示す側面図である。
【図２】図１の擬似餌の展開図である。
【図３】連結具における部分拡大図である。
【図４】連結具の使用方法を示す側面図である。
【図５】連結具の変形例を示す側面図である。
【図６】従来から釣り具などに用いられている「スナップサルカン」を示す図である。
【発明を実施するための形態】
【００２５】
以下、本発明に係る擬似餌の実施の形態について、図１から図６を参照しながら説明する。
本実施形態は、疑似餌における釣り針部分となる被連結具たる釣り針ユニット７０と、その釣り針ユニット７０の着脱を容易化するための連結具６０とを含む疑似餌１０である。
すなわち、図２に示すように、擬似餌１０は、錘２０、揺動体３０、揺動体を保持するためのバンド４０、連結具用リング５０、連結具６０および釣り針ユニット７０を備える。
【００２６】
釣り針ユニット７０は、釣り針用紐７２と釣り針７１とからなる。釣り針用紐７２は、一本の紐からなり、この紐を２つに折り、折った状態で、長手方向の中心部７３を結束したものである。すなわち、釣り針用紐７２は、輪状の部分７４と二つの脚部分７５とで構成される。この両脚部７５の端部には、釣り針７１を結び付けている。
錘２０は、釣糸を通す穿孔２１を有している。釣り人は、その穿孔２１を通じて、錘２０を釣糸８０に通す。この錘は、擬似餌を海水に沈ませる役割を果たす。そのため、前記の錘は、鉛、鉛合金、タングステン又はタングステン合金など海水より高比重の素材からなる。
【００２７】
揺動体３０は、魚を誘き寄せる役割を果たす部材である。揺動体３０には、ネクタイ３１と呼ばれるものと、スカート３２と呼ばれるものとがある。ネクタイ３１とは、２〜５ミリメートル程度の幅を有した帯状のものであり、いずれも合成ゴム製が一般的である。このネクタイ３１を複数本まとめ、長手方向の中央部分において、合成ゴム製の輪状部材であるバンド４０で結束する。
また、スカート３２とは、細紐状のものを複数本まとめたものであり、このスカート３２は、長手方向の中央部分において、バンド４２で結束する。前記のネクタイ３１および前記のスカート３２は、水流になびくよう、いずれも軟性素材、例えば、ゴム素材、シリコン素材などからなる。なお、本実施形態は、ネクタイ３１とスカート３２を別々にバンド４０で結束しているが、一つのバンド４０で、ネクタイ３１とスカート３２とを結束してもよい。
【００２８】
前記バンド４０および揺動体３０を釣糸８０に取り付けるためには、まず錘２０より釣り針７０側の位置で、前記バンド４０を釣糸８０に通し、伸縮性を生かして、前記バンド４０の輪を広げる。そして、前記バンド４０の輪の中に、揺動体３０の長手方向の一端を差し込み、その長手方向における中央部付近で広げた輪を元に戻す。これにより、前記の揺動体３０が、前記バンドにより、長手方向の中心部にて釣糸８０とともに結束される。
【００２９】
図３にて拡大して示すように、連結具用リング５０とは、釣糸８０と連結具６０とを繋ぐ役割を果たす楕円形のリングである。前記の連結具用リング５０と前記の釣糸８０とは、前記の釣糸８０の一端を前記の連結具用リング５０に結ぶことで繋がっている。一方、前記の連結具用リング５０と前記の連結具６０とは、前記の連結具用リング５０の輪と、前記の連結具６０の頭部とが、鎖状につながっている。
前記の連結具用リング５０を用いることにより、水中における連結具６０可動域を広げることができる。すなわち、前記の釣糸８０と前記の連結具６０とを直接つないだ場合、両者は結び目の一点で繋がっているため、前記の連結具６０の動きは、前記の釣糸８０の動きに連動しやすい。一方、前記の連結具用リング５０を用いた場合には、前記の連結具用リング５０と前記の連結具６０とは、鎖状につながっており、両者の接点は固定されていないため、前記の連結具６０は、前記の釣糸８０や前記の連結具用リング５０の動きに、あまり連動せず、水流により自由に動く。
【００３０】
前記の連結具用リング５０は、スライドリング６６が、前記の連結具本体６１から外れ、釣糸８０側に引き戻されるのを防止することができる。すなわち、前記の連結具用リング５０と前記の連結具６０とは、前記の連結具６０のＶ字交差部６５において、鎖状につながっているため、前記のスライドリング６６は、前記の釣糸８０をピンと張っている状態でなければ、前記の連結具用リング５０をすり抜けることが難しい。したがって、水中において、擬似餌１０全体が泳いでいる状態で、前記のスライドリング６６は、前記の連結具本体６１にとどまることになる。
【００３１】
図４を参照させながら、連結具６０を更に詳しく説明する。
図４に示す連結具６０は、容易には変形しにくい鋼製の線材を屈曲させて略Ｖ字形をなす連結具本体６１と、そのＶ字部分を貫通させてスライドするリング状のスライドリング６６とをからなる。
連結具本体６１におけるＶ字形の一端において前記被連結具７０の装着位置となる装着部６３と、その装着部６３から折り返して釣り針ユニット７０の抜け止めとなる抜け止め部６４を形成し、その抜け止め部６４には、突起部６４ａを備えている。
【００３２】
装着部６３は、連結具本体６１がなす平面と同一平面上に幅方向寸法を有するような環状を形成する。
また、突起部６４ａは、装着部６３が形成する平面とはほぼ直角方向をなす方向へ突出している。そしてその突出寸法は、前記スライドリング（６６）の内径断面における楕円形の短径よりも長く、且つ楕円形の長径よりも短くなるような寸法である。
【００３３】
図４（ａ）に示すように、釣り針ユニット７０を装着部６３へ装着するには、スライドリング６６をＶ字交差部６５側に位置させた状態とする。この状態では、スライドリング６６における内径断面は、その長手方向がＶ字形をなす連結具本体６１を規制している。  一方、突起部６４ａは、装着部６３が形成する平面とは直角をなす方向へ突出しており、且つその突出寸法がスライドリング６６の内径断面における楕円形の短い径よりも長い。したがって、図４（ｂ）に示すように、スライドリング６６を装着部６３の方向へ単純にスライドさせても、スライドリング６６は突起部６４ａを超えられない。
【００３４】
図４（ｂ）および（ｃ）に示すように、突起部６４ａを超えてスライドリング６６を装着部６３側へ位置させるためには、環状をなしていることでつまみやすくなっている装着部６３を９０度近く捻ることで、突起部６４ａの突起方向を変更させ、スライドリング６６の内径断面における楕円形の長径方向へ突起部６４ａを回転させるのである。すると、図４（ｄ）に示すように、スライドリング６６が突起部６４ａを超えて装着部６３側へ位置させることができることとなる。
【００３５】
図４（ｄ）に示すような、突起部６４ａと装着部６３の間に位置したスライドリング６６は、人為的に動かそうとしないかぎり、外れることはほとんどありえない。装着部６３が捻られる外力か、スライドリング６６における内径断面の長径方向が突起部６４ａの突起方向と一致させるような外力か、いずれかを加えなければ、突起部６４ａを乗り越えてＶ字交差部６５側へ移動することはできないからである。
したがって、装着部６３に収まった釣り針ユニット７０が装着部６３から外れることは、ほとんど起こりえない。よって、釣り針ユニット７０の装着作業や取り外す作業が難しくなることなく、スナップサルカンよりも外れにくい連結具となる。
【００３６】
図５には、連結具６０のバリエーションを示す。図５（ａ）に示すように、連結具本体６１とスライドリング（図５では省略）とで構成される。
この連結具本体６１は、一本の線状部材を折り曲げて形成する。すなわち、まず、一本の線状部材を長手方向に二つ折りし、二つの脚部（図５では省略）を形成する。  このとき、二つ折りした部分に略円形を形成する。これが、Ｖ字交差部６５となる。このＶ字交差部６５は略円形に限られないが、連結具用リング５０が容易に外れにくい効果があるため、略円形が好ましい。
【００３７】
前記の脚部６８のうち、いずれか一方の脚部６８の一端を、脚部６８の長さより短めに、かつ、外側に先端が向くように折り返す。この折り返した部分が、スライドリング６６の脱落を防止するストッパー部６２となる。
また、他方の脚部６８の一端も、外側に先端が向くよう、折り返すが、この時、折り返した部分に略円形の装着部６３を形成する。この装着部６３は、釣り針ユニット７０を引っ掛ける部分となる。さらに、折り返した部分の一端を略半円形に形成し、約９０度垂直に曲げる。この部分が、突起部６４となり、スライドリング６６が、釣糸８０側に持ち上がることを防止する。なお、前記の装着部６３は、略円形に限定されるものではなく、前記の釣糸８０を引っ掛けることができる形状であればよい。
【００３８】
スライドリング６６の筒孔６７は、少なくとも前記の連結具用リング５０をすり抜けることができる内径としている。また、前記の連結具本体６１を外側から押し、Ｖ字を狭めたときには通ることができ、かつ、Ｖ字を元に戻したときには通ることができない内径寸法である。
【００３９】
このスライドリング６６は、前記の連結具本体６１が持つ反発力を利用して、前記の連結具本体６１に保持する。すなわち、前記の連結具本体６１のＶ字状に広がった両脚部６８を、Ｖ字外側から押すことで、Ｖ字を狭め、前記のスライドリング６６を前記の連結具本体６１を通すことができ、外側から加えた力を解放することで、Ｖ字は元のＶ字に戻ろうとする。ここで、この元に戻ろうとする反発力が、前記のスライドリング６６の内部に加わり、前記の連結具本体６１からすり抜けるのを防止し、前記のスライドリング６６が、前記の連結具本体６１に保持することになる。
【００４０】
前記の連結具本体６１に形成したストッパー部６２が、前記のスライドリング６６の釣糸側と反対側への脱落を防止し、前記の連結具本体６１に形成した突起部６４が、釣糸側へ引き戻されるのを防止する。
前記のスライドリング６６は、前記の揺動体３０と前記の連結具本体６１とを結合する。すなわち、前記のスライドリング６６の外周に、前記ネクタイ３１および前記スカート３２を結束している前記バンド４０を被せることで、前記ネクタイ３１および前記スカート３２を、前記の連結具６０に結合する。
【００４１】
前記のスライドリング６６は、前記の釣り針ユニット７０が前記の連結具本体６１から外れるのを防止する。すなわち、前記の連結具本体６１は、装着部６３の開口部付近で、前記のスライドリング６６を保持しているため、その装着部６３に引っ掛けた釣り針ユニット７０は、前記のスライドリング６６をすり抜けることができない。よって、前記のスライドリング６６は、前記の釣り針ユニット７０が外れるのを防止する。
なお、前記のスライドリング６６の素材は、少なくとも、前記連結具本体６１から安易に外れない程度の強度を有する素材であればよい。なお、水中で何度も使用するものであるため、錆によって劣化しにくいアルミ合金や錆びにくくて強度の高いステンレス鋼などが好ましい。
【００４２】
前記のネクタイ３１と前記のスカート３２の交換方法について、説明する。
前記ネクタイ３１と前記のスカート３２とを交換するには、前記のネクタイ用バンド４１と前記のスカート用バンド４２を、前記のスライドリング６６から取外し、前記の釣糸８０側に引き上げる。このとき、両バンドの輪を広げ、結束されていた前記ネクタイ３１および前記スカート３２を取外し、新しいネクタイ３１およびスカートとを取り付ける。なお、交換する部材は、ネクタイ３１とスカート３２の両方である必要はなく、いずれか一方でよい。また、一つのバンド４０により、前記ネクタイ３１および前記スカート３２と、を結束してもよい。
【００４３】
上述したように、従来は釣り針等とともに、ネクタイとスカートを交換する必要があったが、この方法によれば、前記のバンド４０を前記の連結具６０から取り外すことで、容易にネクタイやスカートを、釣り針とは別に取り替えることができる。また、交換の際、前記の連結具４０は、釣糸８０に繋がっており、これを切断する必要がないため、従来のように、交換の度に釣糸８０が短くなることを防止することができる。
【産業上の利用可能性】
【００４４】
本発明は、釣具の製造業、販売業およびレンタル業、ならびに釣場経営業などにおいて、利用可能性を有する。
【符号の説明】
【００４５】
１０    擬似餌            ２０  錘
２１  穿孔
３０  揺動体
３１  ネクタイ            ３２  スカート
４０  バンド              ４１  ネクタイ用バンド
４２  スカート用バンド
５０  連結具用リング
６０  連結具              ６１  連結具本体
６２  ストッパー部        ６３  装着部
６４  抜け止め部          ６４ａ  突起部
６５  Ｖ字交差部          ６６  スライドリング
６７  筒孔
６８  脚部
７０  被連結具（釣り針ユニット）
７１  釣り針                ７２  釣り針用紐
７３  釣り針用紐の中心部    ７４  釣り針用紐の輪状部分
７５  釣り針用紐の脚部分
８０  釣糸
【図１】
2013247892.tif 000003
【図２】
2013247892.tif 000004
【図３】
2013247892.tif 000005
【図４】
2013247892.tif 000006
【図５】
2013247892.tif 000007
【図６】
2013247892.tif 000008